【手続補正書】
【提出日】平成18年1月24日(2006.1.24)
【手続補正１】
【補正対象書類名】明細書
【補正対象項目名】特許請求の範囲
【補正方法】変更
【補正の内容】
【特許請求の範囲】
【請求項１】  番組のコンテンツデータと当該コンテンツデータを識別する識別情報との組に管理ＩＤを付与して蓄積している蓄積装置から、ユーザの要求に応じて前記コンテンツデータを抽出し、番組を提示する番組提示装置であって、
前記識別情報と前記管理ＩＤとの対応表を作成する作成手段と、
ユーザに第１番組の選択をさせる、第１番組の識別情報が関連付けられた選択画面を含む第２番組についてのコンテンツデータを受信し、ユーザに第２番組を提示する第２番組提示手段と、
前記第２番組提示手段により提示された第２番組の前記画面において、ユーザから第１番組の選択を受付ける受付手段と、
前記受付手段により選択を受付けたとき、前記選択画面に関連付けられた第１番組の識別情報から前記対応表により管理ＩＤを特定し、当該管理ＩＤに基づいて前記蓄積装置から第１番組についてのコンテンツデータを抽出し、ユーザに第１番組を提示する第１番組提示手段と
を備えることを特徴とする番組提示装置。
【請求項２】  前記番組提示装置は、さらに、
第１番組についてのコンテンツデータと当該コンテンツデータを識別する識別情報とを受信し、コンテンツデータと識別情報との組を前記蓄積装置に蓄積させる蓄積制御手段を備え、
前記作成手段は、
前記蓄積制御手段により蓄積された識別情報と、前記管理ＩＤとの対応表を作成すること
を特徴とする請求項１に記載の番組提示装置。
【請求項３】  前記番組提示装置は、さらに、
前記作成手段により作成された対応表を保持する保持手段を備え、
前記第１番組提示手段は、
前記受付手段により選択を受付けたとき、前記保持手段により保持された対応表により管理ＩＤを特定すること
を特徴とする請求項２に記載の番組提示装置。
【請求項４】  前記識別情報は、第１番組が蓄積型の番組であるか否かを示し、
前記蓄積制御手段は、
前記識別情報により第１番組が蓄積型の番組であると判定したとき、第１番組のコンテンツデータと当該識別情報との組を蓄積装置に蓄積させること
を特徴とする請求項１に記載の番組提示装置。
【請求項５】  前記識別情報は、ＵＲＩ（Ｕｎｉｆｏｒｍ  Ｒｅｓｏｕｒｃｅ  Ｉｄｅｎｔｉｆｉｅｒ）であり、
前記蓄積制御手段は、
前記ＵＲＩにおけるルートディレクトリが前記蓄積装置を示すものであるとき、第１番組が蓄積型の番組であると判定すること
を特徴とする請求項４に記載の番組提示装置。
【請求項６】
前記画面は、さらに、
少なくとも、前記第１番組の提示が完了したときに前記第１番組を繰り返し再生するかどうかを決定するための処理情報が関連付けられており、
前記第１番組提示手段は、
前記処理情報が第１番組の繰り返しを示す場合に、第１番組についてのコンテンツデータの再生が終了したとき、第１番組についてのコンテンツデータの先頭から再度繰り返して再生すること
を特徴とする請求項１に記載の番組提示装置。
【請求項７】
前記画面は、さらに、
前記第１番組の提示が完了したときに前記第１番組を繰り返し再生するかまたは再生を終了するかを決定するための処理情報、または前記第２番組へ自動的に遷移するための処理情報が関連付けられており、
前記第１番組提示手段は、
前記処理情報が第１番組の繰り返しを示す場合に、第１番組についてのコンテンツデータの再生が終了したとき、第１番組についてのコンテンツデータの先頭から再度繰り返して再生すること
を特徴とする請求項１に記載の番組提示装置。
【請求項８】
前記画面は、さらに、
前記第１番組の再生開始位置と再生時間とが関連付けられており、
前記第１番組提示手段は、
前記再生開始位置から前記再生時間までの特定の区間を繰り返し再生するために、第１番組についてのコンテンツデータを抽出すること
を特徴とする請求項１に記載の番組提示装置。
【請求項９】
前記画面は、さらに、
少なくとも、前記第１番組の提示が完了したときに前記第２番組へ自動的に遷移するかどうかを決定するための処理情報が関連付けられており、
前記第１番組の提示が完了したときの処理情報が関連付けられており、
前記第２番組提示手段は、
前記処理情報が第２番組の提示を示す場合に、前記第１番組提示手段による第１番組についてのコンテンツデータの再生が終了したとき、第２番組を提示すること
を特徴とする請求項１に記載の番組提示装置。
【請求項１０】
前記画面は、さらに、
前記第１番組の提示が完了したときに前記第１番組を繰り返し再生するかまたは再生を終了するかを決定するための処理情報、または前記第２番組へ自動的に遷移するための処理情報が関連付けられており、
前記第２番組提示手段は、
前記処理情報が第２番組の提示を示す場合に、前記第１番組提示手段による第１番組についてのコンテンツデータの再生が終了したとき、第２番組を提示すること
を特徴とする請求項１に記載の番組提示装置。
【請求項１１】  前記第２番組は、蓄積型の番組であり、
前記第２番組提示手段は、
第２番組についてのコンテンツデータを前記蓄積装置に蓄積させておき、ユーザの要求に応じて当該コンテンツデータを前記蓄積装置から抽出して第２番組を提示する
ことを特徴とする請求項１に記載の番組提示装置。
【請求項１２】  前記第２番組は、リアルタイム提示型の番組であり、
前記第２番組提示手段は、
第２番組についてのコンテンツデータを受信し、ただちに第２番組を提示すること
を特徴とする請求項１に記載の番組提示装置。
【請求項１３】  番組のコンテンツデータと当該コンテンツデータを識別する識別情報との組に管理ＩＤを付与して蓄積している蓄積装置から、ユーザの要求に応じて前記コンテンツデータを抽出し、番組を提示する番組提示方法であって、
前記識別情報と前記管理ＩＤとの対応表を作成する作成ステップと、
ユーザに第１番組の選択をさせる、第１番組の識別情報が関連付けられた選択画面を含む第２番組についてのコンテンツデータを受信し、ユーザに第２番組を提示する第２番組提示ステップと、
前記第２番組提示ステップにより提示された第２番組の前記画面において、ユーザから第１番組の選択を受付ける受付ステップと、
前記受付ステップにより選択を受付けたとき、前記選択画面に関連付けられた第１番組の識別情報から前記対応表により管理ＩＤを特定し、当該管理ＩＤに基づいて前記蓄積装置から第１番組についてのコンテンツデータを抽出し、ユーザに第１番組を提示する第１番組提示ステップと
を備えることを特徴とする番組提示方法。
【手続補正２】
【補正対象書類名】明細書
【補正対象項目名】０１７１
【補正方法】変更
【補正の内容】
【０１７１】
上記構成によれば、番組提示装置は、ＵＲＩが示すルートディレクトリが蓄積装置であるとき、第１番組が蓄積型の番組であると判定することができる。
また、前記画面は、さらに、少なくとも、前記第１番組の提示が完了したときに、前記第１番組を繰り返し再生するかまたは再生を終了するかを決定するための処理情報が関連付けられており、前記第１番組提示手段は、前記処理情報が第１番組の繰り返しを示す場合に、第１番組についてのコンテンツデータの再生が終了したとき、第１番組についてのコンテンツデータの先頭から再度繰り返して再生することとしてもよい。
【手続補正３】
【補正対象書類名】明細書
【補正対象項目名】０１７２
【補正方法】変更
【補正の内容】
【０１７２】
上記構成によれば、第２番組の制作者は、番組提示装置による第１番組の提示を意図どおりに制御することができる。
第１番組を繰り返し再生することで、ユーザは、黒味画面や「しばらくお待ちください」などと表示された画面など必要のない画面を視聴せずにすむ。
また、前記画面は、さらに、前記第１番組の再生開始位置と再生時間とが関連付けられており、前記第１番組提示手段は、前記再生開始位置から前記再生時間まで、特定の区間を繰り返し再生するために、第１番組についてのコンテンツデータを抽出することとしてもよい。
【手続補正４】
【補正対象書類名】明細書
【補正対象項目名】０１７３
【補正方法】変更
【補正の内容】
【０１７３】
上記構成によれば、番組提示装置は、再生開始位置から前記再生時間まで、特定の区間を繰り返し再生するために、第１番組についてのコンテンツデータを抽出することができる。したがって第１番組が複数のショートクリップを含む番組であれば、特定のショートクリップをユーザに提示するなどの運用が可能となる。
また、前記画面は、さらに、少なくとも、前記第１番組の提示が完了したときに、前記第２番組へ自動的に遷移するかどうかを決定するための処理情報が関連付けられており、前記第２番組提示手段は、前記処理情報が第２番組の提示を示す場合に、前記第１番組提示手段による第１番組についてのコンテンツデータの再生が終了したとき、第２番組を提示することとしてもよい。
【手続補正５】
【補正対象書類名】明細書
【補正対象項目名】０１７４
【補正方法】変更
【補正の内容】
【０１７４】
上記構成によれば、第２番組の制作者は、番組提示装置による第１番組の提示を意図どおりに制御することができる。
第１番組についてのコンテンツデータの再生が終了したとき第２番組を提示することで、ユーザは、黒味画面や「しばらくお待ちください」などと表示された画面など必要のない画面を視聴せずにすむ。